(57)【要約】【課題】信号送信器から信号受信器へ伝送される信号の再現性を良くする。【解決手段】データ信号ＣＳ１はサンプリング部２３において高サンプリングレートにてサンプリングされてデジタル付加信号ＣＳ２に変換され、該付加信号ＣＳ２は一時保存部２４にて一時的に保存された上で、信号振り分け部２５にて振り分けられて３本の信号線２５Ａ，２５Ｂ，２５Ｃを経由して信号付加部２６に送信される。そして、これらのデジタル付加信号ＣＳ２はＡＤ変換部２１からのデジタル音声信号ＬＳＤ，ＲＳＤに付加されて信号受信器３に伝送され、該信号受信器３にて元のデータ信号ＣＳ１に復元される。このデータ信号ＣＳ１は高サンプリングレートにてサンプリングされた上で復元されるので、該信号受信器側での信号の再現性を良くすることができる。【選択図】図１
2010041448.tif 000002
【特許請求の範囲】
【請求項１】
デジタル音声信号に所定のデジタル付加信号を付加したものを、信号送信器から信号受信器へ伝送ケーブルを介して伝送する信号伝送装置において、
前記信号送信器は、
前記デジタル音声信号を発生させるデジタル音声信号発生部と、
所定のデータ信号をサンプリングして前記デジタル付加信号に変換するサンプリング部と、
該サンプリング部からのデジタル付加信号を一時的に保存する一時保存部と、
該一時保存部に保存されているデジタル付加信号を複数に振り分けて出力する信号振り分け部と、
前記デジタル音声信号発生部からのデジタル音声信号に、前記信号振り分け部からのデジタル付加信号を付加する信号付加部と、
を備えることを特徴とする信号伝送装置。
【請求項２】
前記信号振り分け部と前記信号付加部とは複数本の信号線で接続され、該信号振り分け部からの信号がそれらの信号線を介して送信されるように構成された、
ことを特徴とする請求項１に記載の信号伝送装置。
【請求項３】
前記データ信号はＲＳ２３２Ｃ信号である、
ことを特徴とする請求項１又は２に記載の信号伝送装置。
【請求項４】
前記デジタル付加信号を取得する際のサンプリングレートは、前記デジタル音声信号を取得する際のサンプリングレートの整数倍である、
ことを特徴とする請求項１乃至３のいずれか１項に記載の信号伝送装置。
【発明の詳細な説明】
【技術分野】
【０００１】
本発明は、デジタル音声信号に所定のデジタル付加信号を付加したものを信号送信器から伝送ケーブルを介して信号受信器に伝送する信号伝送装置に関する。
【背景技術】
【０００２】
従来、デジタル音声信号に所定のデジタル付加信号を付加したものを信号送信器から伝送ケーブルを介して信号受信器に伝送する信号伝送装置については幾つかの提案がなされている（例えば、特許文献１参照）。
【０００３】
図３は、本発明者らが提案している、従来の信号伝送装置の構成の一例を示すブロック図であって、符号１００は、デジタル音声信号ＬＳＤ，ＲＳＤとデジタル付加信号ＣＳ２とを送信するための信号送信器を示し、符号１０１は、それらの信号を伝送するための伝送ケーブルを示し、符号１０２は、それらの信号を受信するための信号受信器を示す。この信号送信器１００の側では、ＡＤ変換部１０３がアナログ音声信号ＬＳＡ，ＲＳＡを所定のサンプリングレートでサンプリングしてデジタル音声信号ＬＳＤ，ＲＳＤに変換し、ＲＳ２３２Ｃ信号変換部１０４がＲＳ２３２Ｃ信号を別のサンプリングレートでサンプリングしてデジタル付加信号ＣＳ２に変換し、データ加工部１０５がそれらの信号（つまり、デジタル音声信号ＬＳＤ，ＲＳＤとデジタル付加信号ＣＳ２）の配列処理を行うようになっていた。
【特許文献１】特許第３８１９３８８号公報
【発明の開示】
【発明が解決しようとする課題】
【０００４】
ＲＳ２３２Ｃ信号等の信号をデジタル付加信号に加工して、より確実に伝送する装置が望まれている。
【０００５】
そこで、本発明は、信号をより確実に伝送することができる信号伝送装置を提供することを目的とするものである。
【課題を解決するための手段】
【０００６】
請求項１に係る発明は、図１に例示するものであって、デジタル音声信号（ＬＳＤ，ＲＳＤ）に所定のデジタル付加信号（ＣＳ２）を付加したものを、信号送信器（２）から信号受信器（３）へ伝送ケーブル（４）を介して伝送する信号伝送装置（１）において、
前記信号送信器（２）は、
前記デジタル音声信号（ＬＳＤ，ＲＳＤ）を発生させるデジタル音声信号発生部（２１）と、
所定のデータ信号（ＣＳ１）をサンプリングして前記デジタル付加信号（ＣＳ２）に変換するサンプリング部（２３）と、
該サンプリング部（２３）からのデジタル付加信号（ＣＳ２）を一時的に保存する一時保存部（２４）と、
該一時保存部（２４）に保存されているデジタル付加信号（ＣＳ２）を複数に振り分けて出力する信号振り分け部（２５）と、
前記デジタル音声信号発生部（２１）からのデジタル音声信号（ＬＳＤ，ＲＳＤ）に、前記信号振り分け部（２５）からのデジタル付加信号（ＣＳ２）を付加する信号付加部（２６）と、を備えることを特徴とする。
【０００７】
請求項２に係る発明は、請求項１に係る発明において、前記信号振り分け部（２５）と前記信号付加部（２６）とは複数本の信号線（２５Ａ，２５Ｂ，２５Ｃ）で接続され、該信号振り分け部（２５）からの信号がそれらの信号線（２５Ａ，２５Ｂ，２５Ｃ）を介して送信されるように構成されたことを特徴とする。
【０００８】
請求項３に係る発明は、請求項１又は２に係る発明において、前記データ信号（ＣＳ１）はＲＳ２３２Ｃ信号であることを特徴とする。
【０００９】
請求項４に係る発明は、請求項１乃至３のいずれか１項に記載の発明において、前記デジタル付加信号（ＣＳ２）を取得する際のサンプリングレートは、前記デジタル音声信号（ＬＳＤ，ＲＳＤ）を取得する際のサンプリングレートの整数倍であることを特徴とする。
【００１０】
なお、括弧内の番号などは、図面における対応する要素を示す便宜的なものであり、従って、本記述は図面上の記載に限定拘束されるものではない。
【発明の効果】
【００１１】
請求項１乃至４に係る発明によれば、音声信号とデータ信号の２種類の信号を１本の信号線（伝送ケーブルの内の１本の信号線）で前記信号受信器に伝送できることとなり、前記信号送信器と前記信号受信器とを接続する信号線の本数を低減することができる。また、本発明によれば、上述のデータ信号は、前記信号送信器の内部にてデジタル信号（デジタル付加信号）に変換され、そのデジタル信号の状態で伝送ケーブルを伝送され、さらに、前記信号受信器の内部にて元のデータ信号に復元されるだけであって、データ信号の内容の解釈は前記信号送信器及び前記信号受信器のいずれにおいてもする必要は無く、該解釈は、例えば該信号受信器に接続したパソコンで行えば足りる。したがって、データ信号の内容を解釈するためのＣＰＵ等は、前記信号送信器及び前記信号受信器のいずれにも設ける必要は無く、その分、信号送信器や信号受信器の構成を簡素化することができる。さらに、本発明によれば、高いサンプリングレートにてサンプリングしたデジタル付加信号を伝送することが可能となるので、前記信号受信器側にて該信号を復元する際、該信号の再現性を良くすることができる。
【発明を実施するための最良の形態】
【００１２】
以下、図１及び図２に沿って、本発明を実施するための最良の形態について説明する。ここで、図１は、本発明に係る信号伝送装置の構成の一例を示すブロック図であり、図２は、該装置に用いることができる市販のオーディオ・トランスミッタの一例を示すブロック図である。
【００１３】
本発明に係る信号伝送装置は、図１に符号１で例示するものであって、信号送信器２と、信号受信器３と、それらを接続する伝送ケーブル４と、によって構成されており、該伝送ケーブル４を介して前記信号送信器２から前記信号受信器３へは、デジタル音声信号ＬＳＤ，ＲＳＤに所定のデジタル信号（以下、“デジタル付加信号”とする）ＣＳ２を付加したものが伝送されるように構成されている。
【００１４】
この内、信号送信器２は、
・  上述のデジタル音声信号ＬＳＤ，ＲＳＤを発生させるデジタル音声信号発生部２１と、
・  所定のデータ信号ＣＳ１をサンプリングして前記デジタル付加信号ＣＳ２に変換するサンプリング部２３と、
・  該サンプリング部２３からのデジタル付加信号ＣＳ２を一時的に保存する一時保存部２４と、
・  該一時保存部２４に保存されているデジタル付加信号ＣＳ２を複数に振り分けて出力する信号振り分け部２５と、
・  前記デジタル音声信号発生部２１からのデジタル音声信号ＬＳＤ，ＲＳＤに、前記信号振り分け部２５からのデジタル付加信号ＣＳ２を付加する信号付加部２６と、
を備えている。
【００１５】
ここで、上述の信号振り分け部２５としては、例えばシフトレジスタを挙げることができる。なお、この信号振り分け部２５と上述の信号付加部２６とは複数本の信号線２５Ａ，２５Ｂ，２５Ｃで接続しておいて、該信号振り分け部２５からの信号（つまり、上述のように振り分けられた信号）がそれらの信号線２５Ａ，２５Ｂ，２５Ｃを介して送信されるようにすると良い。なお、図１では、該信号線２５Ａ，２５Ｂ，２５Ｃの本数を３本としているが、２本としても、４本以上としても良い。
【００１６】
ここで、本発明に係る信号伝送装置１の作用及び効果について説明する。
【００１７】
いま、図１に符号２５Ａ，２５Ｂ，２５Ｃで示すように信号線の本数を３本とし、前記信号振り分け部２５がデジタル付加信号ＣＳ２を３つに振り分けるように構成したとする。その場合、データ信号ＣＳ１についてのサンプリングレートは、アナログ音声信号ＬＳA，ＲＳAについてのサンプリングレートの６倍にすると良い。そのようにすると、デジタル音声信号発生部２１が１回のサンプリングを行って上述のデジタル音声信号ＬＳＤ，ＲＳＤ（２個の信号）を発生させると、前記サンプリング部２３は前記データ信号ＣＳ１について６回のサンプリングを行って６つの信号（ＣＳ２１，ＣＳ２２，ＣＳ２３，ＣＳ２４，ＣＳ２５，ＣＳ２６とする）を発生させる。そして、それら６つの信号ＣＳ２１，ＣＳ２２，…は前記一時保存部２４に送られて一時的に保存され、前記信号振り分け部２５にて３つずつ（つまり、ＣＳ２１，ＣＳ２２，ＣＳ２３の３つ、及びＣＳ２４，ＣＳ２５，ＣＳ２６の３つ）に振り分けられた上で信号線２５Ａ，２５Ｂ，２５Ｃを介して前記信号付加部２６に送信される。その後、上述の信号付加部２６は、“最初の３つの信号ＣＳ２１，ＣＳ２２，ＣＳ２３”
を、例えばデジタル音声信号ＬＳＤに付加し、“残りの３つの信号ＣＳ２４，ＣＳ２５，ＣＳ２６”を、例えばデジタル音声信号ＲＳＤに付加する。これにより、
ＬＳＤ，ＣＳ２１，ＣＳ２２，ＣＳ２３，ＲＳＤ，ＣＳ２４，ＣＳ２５，ＣＳ２６
というフォーマットや、
ＣＳ２１，ＣＳ２２，ＣＳ２３，ＬＳＤ，ＣＳ２４，ＣＳ２５，ＣＳ２６，ＲＳＤ
というフォーマットの合成信号が生成されることとなる。その結果、音声信号とデータ信号の２種類の信号を１本の信号線（伝送ケーブル４の内の１本の信号線）で前記信号受信器３に伝送できることとなり、前記信号送信器２と前記信号受信器３とを接続する信号線の本数を低減することができる。
【００１８】
また、本発明によれば、上述のデータ信号ＣＳ１は、前記信号送信器２の内部にてデジタル信号（デジタル付加信号ＣＳ２）に変換され、そのデジタル信号の状態で伝送ケーブル４を伝送され、さらに、前記信号受信器３の内部にて元のデータ信号ＣＳ１に復元されるだけであって、データ信号ＣＳ１の内容の解釈は前記信号送信器２及び前記信号受信器３のいずれにおいてもする必要は無く、該解釈は、例えば該信号受信器３に接続したパソコンで行えば足りる。したがって、データ信号の内容を解釈するためのＣＰＵ等は、前記信号送信器２及び前記信号受信器３のいずれにも設ける必要は無く、その分、信号送信器や信号受信器の構成を簡素化することができる。
【００１９】
さらに、本発明によれば、高いサンプリングレートにてサンプリングしたデジタル付加信号ＣＳ２を伝送することが可能となるので、前記信号受信器側にて該信号を復元する際、該信号の再現性を良くすることができる。
【００２０】
また、本発明によれば、上述のようなデジタル音声信号発生部２１及び信号付加部２６からなる部分（つまり、図１に符号２９で示す部分）に市販のオーディオ・トランスミッタ（例えば、テキサス・インスツルメンツ株式会社製のＤＩＴ４０９６であって、図２に示す回路構成のもの）を使用することができる。そのような市販のオーディオ・トランスミッタは、音声信号と共に何らかのデータを送信できるようにはなっているが、送信が予定されているデータは、音声信号のように“信号の時間的変化自体”を再現する必要があるものではなく、曲名等のようなデータ（つまり、その意味内容自体を再現すれば足りるもの）に過ぎない。ましてや、音声信号よりも細かいピッチで時間的に変化する信号（例えば、ＲＳ２３２Ｃ信号）を音声信号と共に送信するようなことは全く想定されてはいない。しかし、本発明によれば、このような市販のオーディオ・トランスミッタを使用した場合であっても、上述のように一時保存部２４や信号振り分け部２５や信号線２５Ａ，２５Ｂ，２５Ｃを設けることにより、該オーディオ・トランスミッタ自身が規定するタイミングで上述のデジタル付加信号ＣＳ２（つまり、高サンプリングレートでサンプリングしたデータ信号であって、例えば、上述の６つの信号ＣＳ２１，ＣＳ２２，ＣＳ２３，ＣＳ２４，ＣＳ２５，ＣＳ２６）を取り込み、デジタル音声信号ＬＳＤ，ＲＳＤに付加して前記信号受信器３の側に伝送することができる。その結果、音声信号よりも細かいピッチで時間的に変化する信号を該音声信号と共に伝送することができ、前記信号受信器３の側では、それらの信号の時間的変化自体を復元することが可能となる。
【００２１】
ところで、図１に示す信号送信器２のデジタル音声信号発生部２１はＡＤ変換部であって、アナログ音声信号用入力端子２７から入力されたアナログ音声信号ＬＳＡ，ＲＳＡを所定のサンプリングレートでサンプリングしてデジタル音声信号ＬＳＤ，ＲＳＤに変換するものであるが、前記デジタル付加信号ＣＳ２を取得する際のサンプリングレートは、前記デジタル音声信号ＬＳＤ，ＲＳＤを取得する際のサンプリングレートの整数倍にすると良い。
【００２２】
一方、上述のデータ信号ＣＳ１としてはＲＳ２３２Ｃ信号を挙げることができる。
【００２３】
また、上述の伝送ケーブル４としては、カテゴリー５のツイストペアケーブルを挙げることができ、デジタル音声信号ＬＳＤ，ＲＳＤ及びデジタル付加信号ＣＳ２は、４ペア（符号４Ａ，４Ｂ，４Ｃ，４Ｄ参照）の内の１ペアの信号線を使って伝送すると良い。さらに、他の３ペアの信号線を使って映像信号（ＲＧＢ信号やコンポジット信号）を伝送しても良い。
【００２４】
なお、図１に示す符号２８は、映像信号Ｒ，Ｇ，Ｂに同期信号ＨＤ，ＶＤを付加するための同期信号付加部を示し、符号２２は、データ信号が入力されるデータ信号入力端子を示す。
【００２５】
ところで、信号受信器３は以下のように構成すると良い。すなわち、上述のように送信器側で映像信号Ｒ，Ｇ，Ｂに同期信号ＨＤ，ＶＤを付加している場合には、各映像信号Ｒ，Ｇ，Ｂから該同期信号ＨＤ，ＶＤを分離するための同期信号分離部３１を設けると良い。また、デジタル音声信号ＬＳＤ，ＲＳＤにデジタル付加信号ＣＳ２を付加した信号ＴＳから、デジタル付加信号ＣＳ２を分離するためのデータ分離部３２を設け、デジタル音声信号ＬＳＤ，ＲＳＤをアナログ音声信号ＬＳＡ，ＲＳＡに変換するためのＤＡ変換部３３を設け、デジタル付加信号ＣＳ２を一時的に保存する一時保存部３４を設け、該保存した信号からデータ信号ＣＳ１を復元するデータ信号復元部３５を設けておくと良い。なお、符号３６は、データ分離部３２とＤＡ変換部３３とによって構成されるデジタル信号レシーバを示す。
【図面の簡単な説明】
【００２６】
【図１】図１は、本発明に係る信号伝送装置の構成の一例を示すブロック図である。
【図２】図２は、図１の装置に用いることができる市販のオーディオ・トランスミッタの一例を示すブロック図である。
【図３】図３は、従来の信号伝送装置の構成の一例を示すブロック図である。
【符号の説明】
【００２７】
１          信号伝送装置
２          信号送信器
３          信号受信器
４          伝送ケーブル
２１        デジタル音声信号発生部（ＡＤ変換部）
２３        サンプリング部
２４        一時保存部
２５        信号振り分け部
２５Ａ，２５Ｂ，２５Ｃ          信号線
２６        信号付加部
ＣＳ１      データ信号
ＣＳ２      デジタル付加信号
ＬＳＤ，ＲＳＤ          デジタル音声信号
【図１】
2010041448.tif 000003
【図２】
2010041448.tif 000004
【図３】
2010041448.tif 000005